(57)【要約】上位階と上位階よりも下位に位置する下位階とを有する家屋を空調する空調システムであって、上位階または上位階よりも高位置に設けられた空調室の空気を空調する空調機と、空調室の空気を空調室とは独立し上位階に位置する複数の上位居室に搬送する、複数の上位居室毎に対応して設けられた複数の搬送ファンと、上位居室と上位居室の下位に位置する下位居室とを上位居室から下位居室に送風可能に連結する連結ファンと、空調機と搬送ファンと連結ファンとを制御するシステムコントローラと、を備えた空調システムを提供する。
2020166503.tif 000002
【特許請求の範囲】
【請求項１】
上位階と前記上位階よりも下位に位置する下位階とを有する家屋を空調する空調システムであって、
前記上位階または前記上位階よりも高位置に設けられた空調室の空気を空調する空調機と、
前記空調室の空気を前記空調室とは独立し前記上位階に位置する複数の上位居室に搬送する、前記複数の上位居室毎に対応して設けられた複数の搬送ファンと、
前記上位居室と前記上位居室の下位に位置する下位居室とを前記上位居室から前記下位居室に送風可能に連結する連結ファンと、
前記空調機と前記搬送ファンと前記連結ファンとを制御するシステムコントローラと、
を備えた空調システム。
【請求項２】
前記搬送ファンは、
前記空調室の空気の前記下位居室への搬送を行わない請求項１記載の空調システム。
【請求項３】
前記連結ファンは、
前記上位居室内の空気を当該上位居室の直下に位置する下位居室に前記上位居室の床面を介して送風する請求項１または２に記載の空調システム。
【請求項４】
隣接する前記下位居室間を送風可能に接続し前記システムコントローラから制御可能な下位階送風ファンを備えた請求項１から３のいずれかに記載の空調システム。
【請求項５】
隣接する前記上位居室間を送風可能に接続し前記システムコントローラから制御可能な上位階送風ファンを備えた請求項１から４のいずれかに記載の空調システム。
【請求項６】
複数の居室それぞれの室内温度を取得して前記システムコントローラに送信する居室温度センサーと、
前記空調室の温度を取得して前記システムコントローラに送信する空調室温度センサーと、を備え、
前記システムコントローラは、
前記複数の前居室毎に設定された複数の居室目標温度を取得する居室目標温度取得部と、
前記空調機が冷房運転の場合には前記空調室の温度を前記複数の居室目標温度のうち最も低い温度以下の温度に制御し、前記空調機が暖房運転の場合には前記空調室の温度を前記複数の目標温度のうち最も高い温度以上の温度に制御する空調室温度制御部と、
前記居室目標温度取得部が取得した居室目標温度と、前記居室温度センサーが取得した各居室の室内温度と、前記空調室温度制御部にて制御された前記空調室の温度とに基づいて少なくとも前記搬送ファンの送風量を決定する送風量決定部と、
前記送風量決定部が決定した送風量で前記搬送ファンそれぞれの送風量を制御するファン風量制御部と、を備えた請求項１記載の空調システム。
【請求項７】
前記送風量決定部は、
前記下位居室の居室目標温度と前記上位居室の居室目標温度とに基づいて前記連結ファンの送風量を決定し、
前記ファン風量制御部は、
前記送風量決定部にて決定された前記連結ファンの送風量で前記連結ファンそれぞれの送風量を制御する請求項６記載の空調システム。
【請求項８】
複数の居室それぞれの空気質を取得して前記システムコントローラに送信する空気質センサーと、
前記システムコントローラに設けられ前記搬送ファンの送風量を決定する送風量決定部と、
を備え、
前記送風量決定部は、
前記空気質センサーを介して取得した空気質が所定の基準値を超える基準値外居室と、前記基準値が前記所定の基準値以内である基準値内居室とに分ける判別部と、
前記基準値内居室への送風が前記基準値外居室に対する送風よりも多くなるよう前記搬送ファンの送風量を決定する、請求項１に記載の空調システム。
【請求項９】
前記送風量決定部は、
前記基準値外居室に属する連結ファンを停止または最小ノッチでの送風に決定する請求項８記載の空調システム。
【発明の詳細な説明】
【技術分野】
【０００１】
本開示は、空調システムに関するものである。
【背景技術】
【０００２】
従来、住居に対して全館空調機での空調が行なわれている。また、省エネルギー住宅需要の高まりや規制強化に伴い、高断熱・高気密住宅が増加していくことが予想されており、その特徴に適した空調システムが要望されている。【０００３】
例えば特許文献１に示されるように、複数個の居室を備えた高断熱・高気密家屋において、空調機を独立して設けるとともに、空調室と各居室を連結する給気ダクトを備え、各居室に配置されたコントローラにより空調室内空気を個別的に分配給気する方法が知られている。
【先行技術文献】
【特許文献】
【０００４】
【特許文献１】特開２０１１−１２７８４５号公報
【発明の概要】
【０００５】
このような従来の空調システムは、空調室から各居室に配管（ダクト）を連結する必要がある。しかしながら、例えば床、外壁、内壁、天井などの共通パーツを予め複数種準備し、これら複数の共通パーツの組み合わせで家屋を組み立てる、いわゆる広義のユニット工法では、すべての居室に配管を引き回すのは非効率であった。つまりすべてのパーツを配管対応にする場合には、家屋内に配管を通さない不要な空間が多数存在することになり、空間効率が悪化する。また、一部のパーツのみ配管対応にするような場合には、パーツの種類が多種に及び、ユニット工法のメリットを損なうことになる。これらの問題は、特に上位階（例えば２階）と下位階（例えば１階）との間における配管の引き回し時に顕著に表れる。
【０００６】
そこで本開示は、上記従来の課題を解決するものであり、上位階と下位階との間での配管の引き回し問題を解決した空調システムを提供することを目的とする。
【０００７】
そして、この目的を達成するために、本開示は、上位階と前記上位階よりも下位に位置する下位階とを有する家屋を空調する空調システムであって、
前記上位階または前記上位階よりも高位置に設けられた空調室の空気を空調する空調機と、
前記空調室の空気を前記空調室とは独立し前記上位階に位置する複数の上位居室に搬送する、前記複数の上位居室毎に対応して設けられた複数の搬送ファンと、
前記上位居室と前記上位居室の下位に位置する下位居室とを前記上位居室から前記下位居室に送風可能に連結する連結ファンと、
前記空調機と前記搬送ファンと前記連結ファンとを制御するシステムコントローラと、
を備えた空調システムとし、これにより所期の目的を達成するものである。
【０００８】
本開示によれば、上位階と下位階との間での効率よい送風を可能とした空調システムを提供することができる。
【図面の簡単な説明】
【０００９】
【図１】図１は、本開示の実施の形態１に係る空調システムの接続概略図である。
【図２】図２は、本開示の実施の形態１に係る家屋の居室配置の一例を示す図である。
【図３】図３は、空調システムのシステムコントローラの概略機能ブロック図である。
【図４】図４は、空調処理を示すフローチャートである。
【図５】図５は、空調室の温度と居室の室内温度と居室目標温度との関係の一例を示す図である。
【図６】図６は、空調室温度制御処理を示すフローチャートである。
【図７】図７は、ファン風量設定処理を示すフローチャートである。
【図８】図８は、ファン風量調整処理を示すフローチャートである。
【図９】図９は、空調室負荷低減処理を示すフローチャートである。
【図１０Ａ】図１０Ａは、上面吸込下面吹出型の貫流ファンの一例を示す図である。
【図１０Ｂ】図１０Ｂは、図１０ＡのＡ面断面図である。
【発明を実施するための形態】
【００１０】
以下、本開示を実施するための形態について添付図面を参照して説明する。なお、以下に説明する実施の形態は、いずれも本開示の好ましい一具体例を示すものである。よって、以下の実施の形態で示される、数値、形状、材料、構成要素、構成要素の配置位置及び接続形態、並びに、ステップ（工程）及びステップの順序などは、一例であって本開示を限定する主旨ではない。従って、以下の実施の形態における構成要素のうち、本開示の最上位概念を示す独立請求項に記載されていない構成要素については、任意の構成要素として説明される。また、各図において、実質的に同一の構成に対しては同一の符号を付しており、重複する説明は省略又は簡略化する。
【００１１】
（実施の形態１）
まず、図１、図２を参照して、本開示の実施の形態１に係る空調システム２０について説明する。図１は、本実施の形態に係る空調システム２０の接続概略図であり、図２は、本実施の形態に係る家屋１の居室配置の一例を示す図である。
【００１２】
空調システム２０は、例えば二階と、二階よりも下位に位置する一階とを有する一般住宅としての家屋１に対応可能である。
【００１３】
家屋１は、例えば上位階に該当する二階に４つの上位居室２（上位居室２ａ〜２ｄ）と、下位階に該当する一階に３つの下位居室３（下位居室３ａ〜３ｃ）と、二階よりもさらに高位置にある屋根裏に、居室即ち上位居室２及び下位居室３とは独立した少なくとも１つの空調室１８とを備える。ここで家屋１とは、居住者がプライベートな生活を営む場として提供された住居、住宅であり、一般的な構成として居室にはリビング（居間）、ダイニング（台所＋食堂）、寝室、個室、子供部屋等が含まれる。また空調システム２０が提供する居室にトイレ、浴室、洗面所、脱衣所等を含んでもよい。
【００１４】
図１は簡易的な図であるため二次元表記であり、廊下や階段などが明示されていないが、各居室の上下関係は図２に示すように以下の関係にある。すなわち、上位居室２ａの階下に下位居室３ａが位置する。上位居室２ｂの階下に下位居室３ｂが位置する。上位居室２ｃ及び上位居室２ｄの階下に下位居室３ｃが位置する。なお、理解に供するため、上位居室２及び下位居室３、つまり各居室を実際の家屋に当てはめると、例えば上位居室２ａが寝室に該当し、上位居室２ｂが物置などの小部屋に該当し、上位居室２ｃ及び上位居室２ｄが子供部屋としての個室に該当する。また、下位居室３ａは客間としての個室に該当し、下位居室３ｂが洗面所及びトイレに該当し、下位居室３ｃが台所と食堂と居間とが一つの空間として設けられたいわゆるリビングダイニングに該当する。
【００１５】
空調システム２０は、外気導入ファン７と、複数の搬送ファン４（搬送ファン４ａ，４ｂ，４ｃ，４ｄ）と、複数の循環ファン５（循環ファン５ａ，５ｂ，５ｃ，５ｄ）と、複数の連結ファン８（連結ファン８ａ，８ｂ，８ｃ，８ｄ）と、複数の排気ファン９（排気ファン９ａ，９ｂ，９ｃ，９ｄ）と、複数の送風ファン１０（送風ファン１０ａ，１０ｂ，１０ｃ）を備えている。
【００１６】
また、空調システム２０は、居室温度センサー１１（居室温度センサー１１ａ，１１ｂ，１１ｃ，１１ｄ，１１ｅ，１１ｆ，１１ｇ）と、居室湿度センサー１２（居室湿度センサー１２ａ，１２ｂ，１２ｃ，１２ｄ，１２ｅ，１２ｆ，１２ｇ）と、空気質センサー２２（空気質センサー２２ａ，２２ｂ，２２ｃ，２２ｄ，２２ｅ，２２ｆ，２２ｇ）と、空調室温度センサー１４と、空調室湿度センサー１５と、エアコンディショナー１３と、加湿器１６と、除湿器１７と、入出力端末１９と、システムコントローラ２１（空調システムコントローラに該当）と、を備えている。
【００１７】
空調室１８では、上位居室２より搬送された空気同士が混合される。また、外気導入ファン７により外気が空調室１８内に取り込まれ、循環ファン５によって上位居室２より搬送された空気と混合される。空調室１８の空気は、空調室１８内に設けられたエアコンディショナー１３、加湿器１６及び除湿器１７によって温度及び湿度が制御され、すなわち空調されて、上位居室２に搬送すべき空気が生成される。空調室１８にて空調された空気は、搬送ファン４により、上位居室２に搬送される。
【００１８】
上位居室２の空気は、循環ファン５により空調室１８へ搬送される他、排気ファン９によって居室６内から家屋１外へ外気として排出される。空調システム２０は、排気ファン９の排気風量を制御して室内から外気を排出しつつ、その排気ファン９の排気風量と連動させながら外気導入ファン７の給気風量を制御して室内に外気を取り込むことで、第１種換気方式の換気が行われる。
【００１９】
外気導入ファン７は、家屋１の室内に外気を取り込むファンであり、給気ファンや熱交換気扇の給気機能等が該当する。上述した通り、外気導入ファン７により取り込まれた外気は、空調室１８内に導入される。外気導入ファン７の給気風量は、複数段階で設定可能に構成されており、外気導入ファン７が熱交換気扇の場合には、当該熱交換気扇動作時の排気風量は、後述するように、排気ファン９の排気風量に応じて設定される。
【００２０】
排気ファン９は、対応する居室６の空気の一部を例えば排気ダクトを介して外気として排出するファンであり、天埋換気扇、壁掛換気扇、レンジフード、熱交換気扇の排気機能等が該当する。なお、図１においては、排気ファン９は直接家屋１外へ接続されているが、熱交換気扇の排気機能を利用する場合には、排気ファン９に接続された排気ダクトがいったん熱交換気扇に接続されてから家屋１外へ接続される。つまり排気ダクトを通る空気が熱交換気扇の給気風路を通る空気との間で熱交換されたのち、家屋１外へ排出される。排気ファン９ａは上位居室２ａに、排気ファン９ｂは下位居室３ａに、排気ファン９ｃは上位居室２ｄに、排気ファン９ｄは下位居室３ｃに設けられている。ただし、排気ファン９を接続した居室は一例であり、家屋１の居室６の配置と必要性に基づいて、他の居室に設けられてもよい。
【００２１】
排気ファン９は、それぞれ、その排気風量が複数段階で設定可能に構成されている。通常時は、予め設定された排気風量となるように各排気ファン９は制御される。そして、ユーザによる設定や、各種センサーにより取得された値に応じて、排気ファン９ａ〜９ｄ毎に排気風量が制御される。
【００２２】
搬送ファン４ａ〜４ｄは、上位居室２ａ〜２ｄに対応して空調室１８の例えば壁面に設けられている。空調室１８の空気は、搬送ファン４ａによって搬送ダクトを介して上位居室２ａに搬送され、搬送ファン４ｂによって搬送ダクトを介して上位居室２ｂに搬送され、搬送ファン４ｃによって搬送ダクトを介して上位居室２ｃに搬送され、搬送ファン４ｄによって搬送ダクトを介して上位居室２ｄに搬送される。なお、上位居室２と接続される搬送ダクトはそれぞれ独立して設けられる。
【００２３】
循環ファン５は、各上位居室２の例えば天井に設けられ、各上位居室２内の空気の一部を、循環ダクトを介して空調室１８に送風する。循環ファン５ａは上位居室２ａに、循環ファン５ｂは上位居室２ｂに、循環ファン５ｃは上位居室２ｃに、循環ファン５ｄは上位居室２ｄに設けられている。上位居室２ａ〜２ｄの空気の一部は、それぞれ対応する循環ファン５ａ〜６ｄによって、循環ダクトを介して空調室１８に搬送される。なお、空調室１８と上位居室２とを接続する循環ダクトはそれぞれ独立して設けられてもよいが、循環ダクトの一部である複数の支流ダクトを途中より合流させて１つの循環ダクトに統合した後、空調室１８に接続されてもよい。また、循環ファン５及び循環ダクトは必ずしも必要なものではない。つまり、空調室１８が例えば上位階に設けられさらに廊下に面している場合等、居室内の空気の空調室１８への自然循環や、あるいは搬送ファン４の負圧化による空調室１８への循環が見込める場合には、設ける必要はない。
【００２４】
連結ファン８は、各上位居室２の床面に設けられ、各上位居室２内の空気、つまり空調室を介して空調されて搬送された空気の一部を、上位居室２から直下の下位居室３に送風する。連結ファン８ａは上位居室２ａの床下と下位居室３ａの天井との間に配置される。連結ファン８ｂは上位居室２ｂの床下と下位居室３ｂの天井との間に配置される。連結ファン８ｃ及び連結ファン８ｄは、それぞれ上位居室２ｃ及び上位居室２ｄの床下と下位居室３ｃの天井との間に配置される。
【００２５】
送風ファン１０は、同一階の居室の間の壁内に配置され、居室間の空気の授受を行う。送風ファン１０ａは、上位階送風ファンに該当し、上位居室２ａと上位居室２ｂとの間の壁内に配置される。送風ファン１０ｂは、上位階送風ファンに該当し、上位居室２ｃと上位居室２ｄとの間の壁内に配置される。送風ファン１０ｃは、下位階送風ファンに該当し、下位居室３ａと下位居室３ｂとの間の壁内に配置される。図中では、模式的に２つの居室間の送風を１つのファンで行っているが、必ずしも１つのファンで行う必要は無く、複数のファンを用いて双方向の送風を実現してもよい。また、本実施の形態では、居室間にのみ送風ファン１０を設けているが、例えば図２に示す、各居室に対してホールとの間、階段との間、玄関との間、等に送風ファン１０を設けることで、家屋１内の空気の循環を促すことができ、あるいは不要な居室などへの送風を停止することで、効率よい空調を実現できる。送風ファン１０は、風量をシステムコントローラ２１によって制御可能である。
【００２６】
エアコンディショナー１３は、空調機に該当するものであり、空調室１８の空調を制御する。エアコンディショナー１３は、空調室１８の空気の温度が設定された目標温度（空調室目標温度）となるように、空調室１８の空気を冷却又は加熱する。
【００２７】
加湿器１６は、空調室１８の空気の湿度が設定された目標湿度（空調室目標湿度）よりも低い場合にその湿度が空調室目標湿度となるように、空調室１８の空気を加湿する。なお、加湿器１６がエアコンディショナー１３に内蔵されている場合もあるが、複数の居室に対応するだけの加湿能力を得るために、エアコンディショナー１３とは独立した加湿器１６を備えるのが望ましい。
【００２８】
除湿器１７は、空調室１８の空気の湿度が設定された目標湿度（空調室目標湿度）よりも高い場合にその湿度が空調室目標湿度となるように、空調室１８の空気を除湿する。なお、除湿器１７がエアコンディショナー１３に内蔵されている場合もあるが、複数の居室に対応するだけの除湿能力を得るために、エアコンディショナー１３とは独立した除湿器１７を備えるのが望ましい。
【００２９】
居室温度センサー１１は、対応する居室の室内温度を取得して、システムコントローラ２１に送信するセンサーである。居室温度センサー１１ａは、上位居室２ａに設けられ、居室温度センサー１１ｂは、上位居室２ｂに設けられ、居室温度センサー１１ｃは、上位居室２ｃに設けられ、居室温度センサー１１ｄは、上位居室２ｄに設けられている。また、居室温度センサー１１ｅは、下位居室３ａに設けられ、居室温度センサー１１ｆは、下位居室３ｂに設けられ、居室温度センサー１１ｇは、下位居室３ｃに設けられている。
【００３０】
居室湿度センサー１２は、対応する居室の室内湿度を取得して、システムコントローラ２１に送信するセンサーである。居室湿度センサー１２ａは、上位居室２ａに設けられ、居室湿度センサー１２ｂは、上位居室２ｂに設けられ、居室湿度センサー１２ｃは、上位居室２ｃに設けられ、居室湿度センサー１２ｄは、上位居室２ｄに設けられている。また、居室湿度センサー１２ｅは、下位居室３ａに設けられ、居室湿度センサー１２ｆは、下位居室３ｂに設けられ、居室湿度センサー１２ｇは、下位居室３ｃに設けられている。
【００３１】
空気質センサー２２は、対応する居室の空気質を取得して、システムコントローラ２１に送信するセンサーである。空気質センサー２２ａは、上位居室２ａに設けられ、空気質センサー２２ｂは、上位居室２ｂに設けられ、空気質センサー２２ｃは、上位居室２ｃに設けられ、空気質センサー２２ｄは、上位居室２ｄに設けられている。また、空気質センサー２２ｅは、下位居室３ａに設けられ、空気質センサー２２ｆは、下位居室３ｂに設けられ、空気質センサー２２ｇは、下位居室３ｃに設けられている。ここで空気質とは、空気中のガス成分や粉塵であって、基準値以上では人体に悪影響を与える可能性がある物質の成分量を示す。具体的には、一酸化炭素、二酸化炭素、粉塵（ＰＭ２．５等）、臭いの原因物質、シックハウス症候群の原因物質、総揮発性有機化合物（ＴＶＯＣ：Ｔｏｔａｌ  Ｖｏｌａｔｉｌｅ  Ｏｒｇａｎｉｃ  Ｃｏｍｐｏｕｎｄｓ）などが該当する。
【００３２】
空調室温度センサー１４は、空調室１８の空気の温度を取得して、システムコントローラ２１に送信するセンサーである。なお、空調室温度センサー１４は、エアコンディショナー１３に内蔵されている場合もあるが、エアコンディショナー１３に内蔵されている場合にはエアコンディショナー１３周囲（例えば給気口付近）の情報しか得られない。空調室１８は、上述のように外気と各居室から搬送された空気とが混合されるため、空調室１８全体としての情報が得られるように、エアコンディショナー１３とは独立して備えるのが望ましい。
【００３３】
空調室湿度センサー１５は、空調室１８の空気の湿度を取得して、システムコントローラ２１に送信するセンサーである。なお、空調室湿度センサー１５も空調室温度センサー１４と同様の理由で、空調室１８全体としての情報が得られるように、エアコンディショナー１３とは独立して備えるのが望ましい。
【００３４】
システムコントローラ２１は、空調システム２０全体を制御するコントローラである。システムコントローラ２１は、外気導入ファン７、排気ファン９、搬送ファン４、循環ファン５、居室温度センサー１１、居室湿度センサー１２、空調室温度センサー１４、空調室湿度センサー１５、エアコンディショナー１３、加湿器１６及び除湿器１７と無線通信により通信可能に接続されている。
【００３５】
システムコントローラ２１は、排気ファン９の排気風量に応じた風量となるように、外気導入ファン７の給気風量を設定する等、外気導入ファン７と排気ファン９とを連動させて制御する。これにより、家屋１に対して第１種換気方式による換気が行われる。
【００３６】
また、システムコントローラ２１は、空調室温度センサー１４及び空調室湿度センサー１５により取得される空調室１８の空気の温度及び湿度に基づいて、空調室１８の温度及び湿度の少なくとも一方が、空調室１８に設定された空調室目標温度及び空調室目標湿度の少なくとも一方となるように、空調機としてのエアコンディショナー１３、加湿器１６、除湿器１７を制御する。
【００３７】
また、システムコントローラ２１は、居室温度センサー１１及び居室湿度センサー１２により取得された各居室の室内温度及び室内湿度の少なくとも一方と、居室毎に設定された目標温度（居室目標温度）及び目標湿度（居室目標湿度）の少なくとも一方等に応じて、搬送ファン４の風量や循環ファン５の風量を設定する。
【００３８】
これにより、空調室１８にて空調された空気が、各搬送ファン４に設定された風量でまず上位居室２に搬送され、さらに、連結ファン８の動作により各上位居室２に対応するそれぞれの下位居室３に搬送される。また、各上位居室２の空気が、各循環ファン５に設定された風量で空調室１８に搬送される。よって、各上位居室２の室内温度及び室内湿度の少なくとも一方が、上位居室２の居室目標温度及び居室目標湿度の少なくとも一方となるように制御される。また、対応する上位居室２の空調（空気）が与えることのできる影響の範囲内で、下位居室３の室内温度及び室内湿度の少なくとも一方が、下位居室３の居室目標温度及び居室目標湿度の少なくとも一方となる、または近づくように制御される。
【００３９】
ここで、システムコントローラ２１と、外気導入ファン７、排気ファン９、搬送ファン４、循環ファン５、居室温度センサー１１、居室湿度センサー１２、空調室温度センサー１４、空調室湿度センサー１５、エアコンディショナー１３、加湿器１６及び除湿器１７とが、無線通信で接続されることにより、複雑な配線工事を不要とすることができる。ただし、これら全体を、又は、システムコントローラ２１とこれらの一部を、有線通信により通信可能に構成してもよい。
【００４０】
入出力端末１９は、システムコントローラ２１と無線通信により通信可能に接続され、空調システム２０を構築するうえで必要な情報の入力を受け付けてシステムコントローラ２１に記憶させたり、空調システム２０の状態をシステムコントローラ２１から取得して表示したりするものである。入出力端末１９は、携帯電話、スマートフォン、タブレットといった携帯情報端末が例として挙げられる。
【００４１】
なお、入出力端末１９は、必ずしも無線通信によりシステムコントローラ２１と接続される必要はなく、有線通信により通信可能にシステムコントローラ２１と接続されてもよい。この場合、入出力端末１９は、例えば、壁掛のリモートコントローラにより実現されるものであってもよい。
【００４２】
次いで、図３を参照して、システムコントローラ２１の各機能について説明する。図３は、システムコントローラ２１の概略機能ブロック図である。
【００４３】
システムコントローラ２１は、居室目標温度取得部３４、空調室温度制御部３５、送風量決定部４０、ファン風量制御部３１、送風総量算出部４１、送風量比較部４２、記憶部４６を備える。
【００４４】
居室目標温度取得部３４は、入出力端末１９により居室６毎に設定された複数の居室目標温度を取得する。
【００４５】
空調室温度制御部３５は、冷房期、つまり居室の室内温度（居室内温度）が高く、エアコンディショナー１３が冷房運転する場合であれば、空調室１８の温度（空調室温度）が、居室目標温度取得部３４が取得した複数の居室目標温度のうち最も低い温度以下となるように、空調機としてのエアコンディショナー１３を制御する。空調室温度制御部３５は、暖房期、つまり居室の室内温度が低く、エアコンディショナー１３が暖房運転する場合であれば、空調室１８の温度が、居室目標温度取得部３４が取得した複数の居室目標温度のうち最も高い温度以上となるように、エアコンディショナー１３を制御する。
【００４６】
送風量決定部４０は、第一温度比較部４３と、第二温度比較部４４と、温度差比較部４５とを備える。そして送風量決定部４０は、居室目標温度取得部３４が取得した居室目標温度と、空調室温度制御部３５にて制御された空調室１８の温度と、居室温度センサー１１が取得した居室それぞれの室内温度に基づいて各搬送ファン４の送風量を決定する。なお、送風量の決定、変更手順については後述する。
【００４７】
第一温度比較部４３は、居室目標温度取得部３４が取得した居室目標温度と、空調室温度センサー１４が検出した空調室の温度との温度差を、居室毎に算出する。
【００４８】
第二温度比較部４４は、居室目標温度取得部３４が取得した居室目標温度と、居室温度センサー１１が検出した居室の室内温度との温度差を、居室毎に算出する。
【００４９】
温度差比較部４５は、第二温度比較部４４が所定のタイミングＡにて算出した温度差Ａと、第二温度比較部４４が所定のタイミングＡから一定時間経過後のタイミングＢにて算出した温度差Ｂとを比較する。なお、タイミングＡは所定の時刻、タイミングＢは所定の時刻から一定時間経過後の時刻と言い換えることができる。
【００５０】
ファン風量制御部３１は、複数の上位居室２ａ〜２ｄにそれぞれ対応して設けられた複数の搬送ファン４ａ〜４ｄの風量を、送風量決定部４０にて決定された搬送ファン４ａ〜４ｄのそれぞれの送風量に制御する。また、ファン風量制御部３１は、循環ファン５ａ〜５ｄについても制御してよいが、ここでは詳細説明を省略する。
【００５１】
送風総量算出部４１は、複数の搬送ファン４ａ〜４ｄによる送風量の総和である送風総量を算出する。ここで送風量の総和とは、搬送ファン４ａ〜４ｄの単位時間当たりの送風量の和で示される。
【００５２】
送風量比較部４２は、送風総量算出部４１が算出した送風総量と所定の送風量閾値とを比較する。ここで所定の送風量閾値とは、例えば複数の搬送ファン４ａ〜４ｄの最大送風量の総和や、あるいは当該最大送風量の総和の７０％〜９５％の値とすることができる。
【００５３】
記憶部４６は、あらかじめ設定された所定の送風量閾値を記憶する、いわゆるメモリである。また、その他システムコントローラ２１による制御に数値などの情報の記憶が必要な場合にも記憶部４６が利用される。
【００５４】
＜上位居室の空調処理＞
次いで、図４〜図９を参照して、システムコントローラ２１により実行される、主に上位居室に関する空調処理について説明する。図４は、空調処理を示すフローチャートである。図５は、空調室の温度と居室の室内温度と居室目標温度との関係の一例を示す図である。図６は、空調室温度制御処理を示すフローチャートである。図７は、ファン風量設定処理を示すフローチャートである。図８は、ファン風量調整処理を示すフローチャートである。図９は、空調室負荷低減処理を示すフローチャートである。
【００５５】
システムコントローラ２１が実行する空調処理は、図４に示すように、主に空調室温度制御処理Ｓ１００、ファン風量設定処理Ｓ２００、ファン風量調整処理Ｓ３００により構成され、この順で実行される。
【００５６】
ユーザが空調処理を実行すると、まず、システムコントローラ２１は、図４に示す空調室温度制御処理Ｓ１００を実行する。図６に示す空調室温度制御処理Ｓ１００では、システムコントローラ２１は、入出力端末１９にて設定された冷暖房期設定を取得する（Ｓ１０１）。ここで冷暖房期設定とは、例えば気温が高くなりエアコンディショナー１３を冷房機として運転（稼働）させる夏季を冷房期と設定し、気温が低くなりエアコンディショナー１３を暖房機として運転させる冬季を暖房期と設定する。ユーザは、入出力端末１９のカレンダー機能に対して、例えば六月から九月を冷房期と設定し、一二月から三月を暖房期と設定することで、システムコントローラ２１は当該設定を取得することができる。
【００５７】
次にシステムコントローラ２１は、居室目標温度取得部３４を介して入出力端末１９により居室毎に設定された複数の居室目標温度を取得する（Ｓ１０２）。ただし、上位居室２の制御であるため、上位居室２の居室目標温度のみを取得してもよい。
【００５８】
居室目標温度を取得すると、空調室温度制御部３５は、エアコンディショナー１３に空調室１８の目標温度（空調室目標温度）を設定する（Ｓ１０３）。具体的に空調室目標温度は、以下のように決定される。
【００５９】
図５は、空調室１８及び上位居室２ａ、上位居室２ｂ、上位居室２ｃにおける温度環境を例示している。上位居室２ａは、室内温度が２８℃、居室目標温度が２５℃である。上位居室２ｂは、室内温度が２７℃、居室目標温度が２２℃である。上位居室２ｃは、室内温度が２７℃、居室目標温度が２０℃である。上位居室２ｄは、室内温度が２７℃、居室目標温度は設定されていないものとする。ここで空調室温度制御部３５は、Ｓ１０１で取得した冷暖房期設定が冷房期、つまり冷房運転であるため、空調室目標温度を複数の居室目標温度のうち最も低い温度以下の温度に制御する。つまり、図５に示された例では、複数の居室目標温度を比較し、最も低い２０℃以下に設定する。ここでは、空調室目標温度を２０℃であるものとする。
【００６０】
なお、暖房期、つまり暖房運転である場合には、空調室温度制御部３５は、空調室目標温度を複数の居室目標温度のうち最も高い温度以上の温度に制御する。図５のような例示はしないが、暖房期の場合例えば設定温度は２３℃である。
【００６１】
上記設定により、空調室１８は設定温度である２０℃に冷却され、この空調室目標温度であればすべての上位居室２の居室目標温度（ここでは２０℃〜２５℃）に対応可能となる。
【００６２】
次に、システムコントローラ２１は、図７に示すファン風量設定処理Ｓ２００を実行する。ファン風量設定処理Ｓ２００では、システムコントローラ２１は、空調室温度センサー１４を介して空調室温度を取得する（Ｓ２０１）。続いて、システムコントローラ２１は、居室温度センサー１１を介して各上位居室２の室内温度を取得する（Ｓ２０２）。さらに、システムコントローラ２１は、居室目標温度取得部３４を介して入出力端末１９により上位居室２ａ〜２ｄ毎に設定された複数の居室目標温度を取得する（Ｓ２０３）。
【００６３】
上記取得が完了すると、第一温度比較部４３は、居室目標温度と空調室温度とを比較して温度差を算出する（Ｓ２０４）。
【００６４】
第一温度比較部４３が温度差を算出すると、送風量決定部４０は、算出した温度差に基づいて搬送ファン４ａ〜４ｄの各々の送風量を決定する（Ｓ２０５）。
【００６５】
送風量の決定は、具体的に以下のように行われる。すなわち、上位居室２ｃの居室目標温度が２０℃、空調制御された空調室１８の温度が２０℃であるため、上位居室２ｃと空調室１８とを結ぶ搬送ダクトに対応する搬送ファン４ｃの送風量を最大値とする。ここで送風量とは、搬送ファンの送風能力、あるいは動作ノッチとすることができる。例えば搬送ファン４の送風量を送風量の小さいものから順に送風量１〜送風量１０の１０段階の設定が可能とすると、ここでは送風量１０に決定する。つまり送風量決定部４０は、上位居室２ｃの室内温度を２７℃から下げ、さらに居室目標温度の２０℃を維持するために、空調室１８の同温（２０℃）の空気を最大量送風するよう、決定する。
【００６６】
また例えば上位居室２ｂの居室目標温度が２２℃、空調制御された空調室１８の温度が２０℃であるため、搬送ファン４ｂの送風能力を最大値である送風量１０とすると、上位居室２ｂの居室目標温度が２２℃を下回る可能性がある。よって送風量決定部４０は、搬送ファン４ｂの送風量を最大値よりは低い値とする。低い値とは、例えば送風量８である。
【００６７】
同様に上位居室２ａの居室目標温度が２５℃、空調制御された空調室１８の温度が２０℃であるため、搬送ファン４ａの送風能力を最大値である送風量１０とすると、上位居室２ａの居室目標温度が２５℃を下回る可能性がある。よって送風量決定部４０は、搬送ファン４ａの送風量を最大値より低い例えば送風量５とする。
【００６８】
つまり、送風量決定部４０は、居室目標温度と空調室の温度の差に応じて、例えば第一温度比較部４３が算出した温度差が小さい居室（上位居室２ｃ：温度差０℃）に対しては、温度差が大きい居室（例えば上位居室２ａ：温度差５℃、上位居室２ｂ：温度差２℃）に対するよりも搬送ファン４ｃの送風量を大きくする。
【００６９】
上記処理は、上位居室２ｄを含むすべての上位居室に対して行われる（Ｓ２０６Ｎｏ→Ｓ２０２・・・→Ｓ２０６Ｙｅｓ）。
【００７０】
送風量決定部４０が各搬送ファン４の風量を決定すると、当該決定に従って、ファン風量制御部３１が各搬送ファン４を制御する。
【００７１】
これにより、空調室温度制御部３５が制御した空調室１８の温度と、独立した複数の搬送ファン４ａ〜４ｄの制御によって、各上位居室２を居室目標温度に制御することが可能となる。
【００７２】
なお、居室の室内温度と居室目標温度との差にかかわらず、居室目標温度に到達していない上位居室に対しては、まず最大風量で送風することで、素早く居室目標温度に到達させることも可能である。この場合であっても、後述のファン風量調整処理Ｓ３００によって、各居室を居室目標温度に維持することが可能である。しかしながら、空調室１８は、複数の上位居室２に空気を搬送しているため、一度に大量の空気の搬送が発生すると、空調室１８の冷暖房処理が追い付かず、つまり冷暖房効果が低下してしまう。例えば空調システムの処理の開始や、不在の住宅に対して家族が帰宅し、各居室の目標設定温度を一斉に低く設定した場合などがこれに該当する。これらに対応するためには、空調室の体積を大きくしてもよいが、これでは空間コストが上がり、さらに空調機も大容量化が要求される。これに対して送風量決定部４０は、温度差が小さい居室に対し、温度差が大きい居室に対するよりも搬送ファンの送風量を大きくしている。言い換えると、送風量決定部４０は、温度差が大きい上位居室２に対しては、温度差が小さい上位居室に対するよりも搬送ファンの送風量を小さくしている。これにより、各上位居室２の室内温度を居室目標温度に徐々に下げることで、冷暖房効果の低下を抑制し、結果的に空調室の小型化を実現している。
【００７３】
ところで、上記設定では、例えば上位居室２ｃの居室目標温度は空調室１８の温度と同一の２０℃であるため、搬送ファン４ｃを最大風量で制御することで、上位居室２ｃを居室目標温度に制御可能である。しかしながら、例えば上位居室２ａに対しては、居室目標温度が２５℃であるため、上記例の送風量５では、居室目標温度に到達するのか、または到達して維持できるのか、あるいは過冷却となるのかが不明である。上位居室２ｂに対しても同様である。このような状況に対応するために、システムコントローラ２１は、図８に示すファン風量調整処理Ｓ３００を実行する。ファン風量調整処理Ｓ３００では、システムコントローラ２１は、ファン風量設定処理Ｓ２００が終了してから一定時間経過したか否かを判定する（Ｓ３０１）。一定時間経過していない場合には、一定時間経過するまで待機する（Ｓ３０１Ｎｏ）。これは、ファン風量設定処理Ｓ２００が設定した環境にて空調システムを稼働させ、各上位居室２の室内温度を居室目標温度に近づけるための時間を確保するためである。
【００７４】
一定時間が経過すると、システムコントローラ２１は、居室温度センサー１１を介して各上位居室２の室内温度を取得する（Ｓ３０２）。さらに、システムコントローラ２１は、居室目標温度取得部３４を介して入出力端末１９により上位居室２ａ〜２ｄ毎に設定された複数の居室目標温度を取得する（Ｓ３０３）。
【００７５】
上記取得が完了すると、第二温度比較部４４は、居室目標温度と居室の室内温度とを比較して温度差（温度の乖離）を算出する（Ｓ３０４）。
【００７６】
第二温度比較部４４が温度差を算出すると、温度差比較部４５は、前回のファン風量調整処理Ｓ３００にて記憶した、前回のタイミング（タイミングＡに該当）にて第二温度比較部が算出した温度差Ａと比較する。今回は一回目の処理なので前回算出した温度差Ａが存在しないため、比較は行わずに算出した温度差を温度差Ａとして記憶部４６に記憶してＳ３０１の処理に戻る。
【００７７】
なお、前回のタイミング（タイミングＡ）にて算出した温度差Ａがある場合、温度差比較部４５は、今回のタイミング（タイミングＢに該当）で第二温度比較部４４が算出した温度差Ｂと、記憶部４６に記憶しているタイミングＡにおける温度差Ａとを比較する。
【００７８】
ここで、タイミングＡからタイミングＢへの時間の遷移によって、居室の室内温度の居室目標温度からの乖離が小さくなっている場合、つまり温度差Ｂが温度差Ａより小さい場合、搬送ファン４の動作によって、居室の室温が居室目標温度に近づいていることを意味する。このため、送風量決定部４０は、搬送ファン４の送風量を減少させる（Ｓ３０５Ｙｅｓ→Ｓ３０６）。
【００７９】
また、タイミングＡからタイミングＢへの時間の遷移によって、上位居室の室内温度の居室目標温度からの乖離が無いか又は大きくなっている場合、つまり温度差Ｂが温度差Ａより大きい場合、さらに過冷却（冷房期の場合）、過加熱（暖房期の場合）を判定する（Ｓ３０７）。つまり、乖離が大きくなっている場合には、搬送ファン４の送風量が大きすぎて居室目標温度を超えた冷却（加熱）を行っている場合（過処理）と、搬送ファン４の送風量が小さすぎて居室目標温度に近づかず、さらに外気の影響で上位居室２の室内温度が居室目標温度から離れている場合と、が考えられる。このため、Ｓ３０７にてこれらを判定する。
【００８０】
ここで、過冷却や過加熱、つまり過処理であると判定された場合、送風量決定部４０は、搬送ファンの送風量を減少させる（Ｓ３０７Ｙｅｓ→Ｓ３０６）。
【００８１】
また、過冷却や過加熱、つまり過処理ではないと判定された場合、送風量決定部４０は、搬送ファンの送風量を増加させる（Ｓ３０７Ｎｏ→Ｓ３０８）。
【００８２】
上述の過冷却（過加熱）か否か（過処理か否か）は、冷暖房期設定と、居室目標温度と、上位居室２の室内温度とから判定可能である。
【００８３】
なお、図８には示していないが、タイミングＡからタイミングＢへの時間の遷移によって乖離が無く、さらに居室の室内温度が居室目標温度に近い（例えばプラスマイナス０．３℃）範囲の場合には、搬送ファン４の送風量を変更せず、維持してもよい。
【００８４】
上記ファン風量調整処理Ｓ３００は、一定時間ごとに実行される。
【００８５】
以上に示したファン風量調整処理Ｓ３００により、空調室温度制御部３５による空調室の温度制御と搬送ファン４の送風量制御によって、各上位居室２を居室目標温度に到達させ、居室目標温度を維持することが可能となる。
【００８６】
特に空調室１８は、循環ファン５等により複数の居室からの様々な温度の空気が流入するため、温度変化が激しい。よって、気圧差とダンパーを利用したシステムなどでは制御が困難であるため、搬送ファン４を利用して送風することが重要である。なお、上述の処理であれば、一般的なファンを搬送ファンに利用しても温度制御が可能であるが、細かい温度制御を可能とするためにも、ダクト長や圧の影響を受けずに設定された一定量の送風量を維持できる風量一定制御機能部を備えたファンを搬送ファンに利用するのが好ましい。
【００８７】
なお、上記空調処理は、各居室目標温度の設定の変更や冷暖房期の切替処理を割り込み処理として、当該割り込み処理が行われた場合には、空調温度制御処理Ｓ１００から開始されることで、設定変更に対応可能となる。
【００８８】
ところで、空調室１８は限られた体積を備えた空間であり、例えばすべての上位居室２ａ〜２ｄに対して最大の送風量１０で冷房又は暖房する必要が生じた場合、空調室１８の温度維持が困難になる。これは、空調室１８は、温度調節された空気の流出が多く、逆に空調室１８の設定温度に比較して温度差の大きい空気の流入が多くなることに起因する。
【００８９】
従って、このような状況に対応するために、システムコントローラ２１は、図９に示す空調室負荷低減処理Ｓ４００を実行してもよい。空調室負荷低減処理Ｓ４００では、送風総量算出部４１は、複数の搬送ファン４ａ〜４ｄによる送風量の総和である送風総量を算出する（Ｓ４０１）。次に、送風量比較部４２は、送風総量算出部４１が算出した送風総量と、記憶部４６にあらかじめ記憶されている所定の送風量閾値とを比較する（Ｓ４０２）。ここでは、所定の送風量閾値は、複数の搬送ファン４ａ〜４ｄの最大送風量の総和の８０％の値とする。
【００９０】
ここで、送風総和が所定の送風量閾値を超えている場合（Ｓ４０３でＹｅｓ）、送風量比較部４２は、さらに入出力端末１９にて設定された冷暖房期設定を取得し、この情報を基に冷暖房期を判定する（Ｓ４０４）。送風量比較部４２は、送風総和が所定の送風量閾値を超えている旨及び冷房期又は暖房期である旨を空調室温度制御部３５に送信する。なお、送風総和が所定の送風量閾値以下の場合は（Ｓ４０３でＮｏ）、処理を終了する。
【００９１】
空調室温度制御部３５は、送風総和が所定の送風量閾値を超えている旨と冷房期又は暖房期である旨を受信すると、冷房期の場合には、空調室温度を現状の設定からさらに低く変更する（Ｓ４０４冷房期→Ｓ４０６）。また、空調室温度制御部３５は、暖房期の場合には、空調室温度の現状の設定からさらに高く変更する（Ｓ４０４暖房期→Ｓ４０５）。
【００９２】
空調室温度制御部３５は、空調室温度の設定を変更した旨を送風量決定部４０に送信し、送風量決定部４０はこれに基づいて搬送ファン４の送風量を減少させる（Ｓ４０７）。
【００９３】
これにより、空調室１８の温度の設定をより低く（冷房期）あるいは高く（暖房期）変更することで、空調室１８の限られた体積を増加させることなく居室目標温度の幅広い温度領域に対応可能となる。
【００９４】
なお、空調室温度の下げ幅（冷房期）や上げ幅（暖房期）は、固定値とするのではなく、送風総和が所定の送風量閾値を超えている量に比例して大きくすると空調室１８の利用効率とエネルギー消費量の面で有利である。具体的には、所定の送風量閾値が７０であって送風総和が８０の場合には、２℃、温度を変更する。同じく送風総和が９０の場合には４℃、送風総和が１００の場合には６℃といった変更がこれに該当する。
【００９５】
また、送風量決定部４０は、空気質センサー２２を介して取得した空気質が所定の基準値を超える基準値外居室と、前記基準値が前記所定の基準値以内である基準値内居室とに分ける判別部４７を備えてもよい。そして、送風量決定部４０は、基準値内居室への送風が基準値外居室に対する送風よりも多くなるよう搬送ファン４の送風量を決定する。これにより、基準値内居室は加圧状態となることで、基準値外居室から基準値内居室への、基準値以上では人体に悪影響を与える可能性がある、いわゆる有害物質の流入を抑制することができる。
【００９６】
さらに、送風量決定部４０は、基準値外居室に属する連結ファン８を停止または最小ノッチでの送風に決定する。これにより、基準値外居室の内部からの、有害物質の流出を抑制することができる。
【００９７】
以上が、搬送ファン４を利用した上位居室２に対する空調処理である。
【００９８】
＜下位居室の空調処理＞
続いて、図１、図３を参照して、システムコントローラ２１により実行される下位居室に関する空調処理について説明する。上述した処理にて、上位居室２の空調が完了して居室目標温度に到達し、あるいは上位居室２の空調が実行されている最中に、下位居室３に対する空調処理が行われる。
【００９９】
なお、システムコントローラ２１は、あらかじめ記憶部４６に上位居室２と下位居室３との関係が記憶されているものとする。具体的には、記憶部４６に、連結ファン８ａが上位居室２ａと下位居室３ａとを、連結ファン８ｂが上位居室２ｂと下位居室３ｂとを、連結ファン８ｃ及び連結ファン８ｄが上位居室２ｃ及び上位居室２ｄと下位居室３ｃとを、送風可能に連結している旨が記憶されている。当該記憶のための入力は、例えば入出力端末１９を介して行われる。
【０１００】
下位居室３に対する空調では、システムコントローラ２１は、居室目標温度取得部３４を介して入出力端末１９により下位居室３毎に設定された複数の居室目標温度を取得する。
【０１０１】
次に、システムコントローラ２１は、居室温度センサー１１を介して上位居室２ａ〜２ｄ及び下位居室３ａ〜３ｃの室内温度を取得する。
【０１０２】
ここで、システムコントローラ２１は、上位居室２の空気を、当該上位居室２の直下に位置する下位居室３に送風することで、下位居室３の室内温度が当該下位居室３の居室目標温度に近づくと判断した場合、上位居室２に設けられた連結ファン８を動作させる。
【０１０３】
具体的に、例えば冷房期であって、上位居室２ｃの室内温度が２０℃、上位居室２ｄは空調がされていないため室内温度が２７℃、下位居室３ｃの室内温度が２７℃、下位居室３ｃの居室目標温度が２４℃とする。この場合、システムコントローラ２１は、上位居室２ｃの２０℃の空気を下位居室３ｃに送風することで、現在の室内温度２７℃を下位居室３ｃの居室目標温度２４℃に近づけることができると判断する。そして、システムコントローラ２１は、上位居室２ｃと下位居室３ｃとを連結する連結ファン８ｃを動作させる。
【０１０４】
これにより、下位居室３ｃの室内温度は居室目標温度に近づき、到達する。なお、システムコントローラ２１を構成する送風量決定部４０は、連結ファン８ｃを動作させる際に、連結ファン８ｃの風量を決定することが可能である。決定の手順は、上述した上位居室の空調処理と同様でよい。つまり、下位居室３の空調処理では、下位居室３に対応する上位居室２を空調室と見立て、この空調室と見立てた上位居室２から下位居室３への送風を行うのである。連結ファン８の風量が決定されると、ファン風量制御部３１は、決定された風量で連結ファン８を動作させる。
【０１０５】
以上の処理により、下位居室の空調処理が実施され、上位居室の室温の範囲に影響されるとはいえ、ダクトを遠距離間引き回すことなく下位居室３の室内温度が制御可能となる。つまり上位階と下位階との間での効率よい送風が可能となる。このような空調システムは、上述のユニット工法において、共通パーツを流用できるという意味で特に有効である。
【０１０６】
＜連結ファンの構成＞
連結ファン８としては、通常のプロペラファンが利用可能であるが、上面吸込下面吹出型の貫流ファンを利用するのが好ましい。具体的には、図１０Ａおよび図１０Ｂに示すように、貫流ファン５０は、上面に吸込口５１と、下面に吹出口５２と、吸込口５１から吹出口５２に空気を導く、回転方向に湾曲した多数の羽根をもつ筒形の羽根車５３とを備えている。
【０１０７】
貫流ファン５０は、長辺を長くすることで静音大風量化することが可能であるため、上位居室２の床面であって、壁沿いに長辺を平行に配置することで、邪魔にならず、また目立つことなく大風量で下位居室３に送風可能となる。
【０１０８】
（変形例）
以上、本発明に係る空調システム及びシステムコントローラについて説明を行ったが、上記実施の形態は、一例であり、これに限定されるものではない。
【０１０９】
例えば、循環ファン５ａ〜５ｄ、及び搬送ファン４ａ〜４ｄは、上位居室２と空調室１８とを接続するダクトによって連通されている。しかしながら循環ファン５ａ〜５ｄについては必ずしもダクトで接続する必要はなく、居室間を結ぶ廊下等の空間をダクトとみなすことも可能である。この場合、居室内の空気は居室から送風ファン１０によって廊下に搬送される。廊下に搬送された居室内の空気は、廊下と連通する空調室１８に取り込まれる。空調室１８への取り込みは、空調室１８の廊下に面した壁面に新たに循環ファンを備えることで行われ、あるいは循環ファンを利用することなく空調室の負圧化により取り込んでもよい。このような構成によっても、ダクトで接続するのに対して循環効率は下がることが予想されるが、空調システムに寄与することができる。
【０１１０】
また、上記の実施の形態では、居室として示しているが、居室は必ずしも人が居る必要は無く、一つの空間として捉えることができる。つまり、廊下やキッチンもある程度区切られているのであれば１つの空間として捉えることができ、１つの居室に該当する。
【０１１１】
また、上述の実施の形態では、空調室１８は、屋根裏に設けられているが、二階、つまり上位階に設けられてもよい。
【０１１２】
また、家屋は二階建てに限定されず、例えば家屋が三階建ての場合、三階が上位階に該当し、二階及び一階が下位階に該当する。
【０１１３】
また、上記の実施の形態においては、温度の制御について述べているが、湿度の制御に利用してもよい。
【産業上の利用可能性】
【０１１４】
本発明にかかる空調システムは、上位階と下位階との間での効率よい送風を可能であるため、いわゆるユニット工法を採用した家屋の全館空調として有用である。
【符号の説明】
【０１１５】
１    家屋
２、２ａ、２ｂ、２ｃ、２ｄ    上位居室
３、３ａ、３ｂ、３ｃ    下位居室
４、４ａ、４ｂ、４ｃ、４ｄ    搬送ファン
５、５ａ、５ｂ、５ｃ、５ｄ    循環ファン
７    外気導入ファン
８、８ａ、８ｂ、８ｃ、８ｄ    連結ファン
９、９ａ、９ｂ、９ｃ、９ｄ    排気ファン
１０、１０ａ、１０ｂ、１０ｃ    送風ファン
１１、１１ａ、１１ｂ、１１ｃ、１１ｄ、１１ｅ、１１ｆ、１１ｇ    居室温度センサー
１２、１２ａ、１２ｂ、１２ｃ、１２ｄ、１２ｅ、１２ｆ、１２ｇ    居室湿度センサー
１３    エアコンディショナー
１４    空調室温度センサー
１５    空調室湿度センサー
１６    加湿器
１７    除湿器
１８    空調室
１９    入出力端末
２０    空調システム
２１    システムコントローラ
２２、２２ａ、２２ｂ、２２ｃ、２２ｄ、２２ｅ、２２ｆ、２２ｇ    空気質センサー
３１    ファン風量制御部
３４    居室目標温度取得部
３５    空調室温度制御部
４０    送風量決定部
４１    送風総量算出部
４２    送風量比較部
４３    第一温度比較部
４４    第二温度比較部
４５    温度差比較部
４６    記憶部
４７    判別部
【図１】
2020166503.tif 000003
【図２】
2020166503.tif 000004
【図３】
2020166503.tif 000005
【図４】
2020166503.tif 000006
【図５】
2020166503.tif 000007
【図６】
2020166503.tif 000008
【図７】
2020166503.tif 000009
【図８】
2020166503.tif 000010
【図９】
2020166503.tif 000011
【図１０Ａ】
2020166503.tif 000012
【図１０Ｂ】
2020166503.tif 000013
【国際調査報告】
2020166503.tif 000014
2020166503.tif 000015
2020166503.tif 000016
2020166503.tif 000017